(57)【特許請求の範囲】
【請求項１】
一方の分割片の雄実部と他方の分割片の雌実部とを結合して構成する床材であって、前記雄実部の上面に第１溝を設け、前記第１溝は雄実部の突出方向と直交又は略直交しており、一方の分割片の雄実部と他方の分割片の雌実部とを接合した際に、前記第１溝に沿って対向する第２溝を前記雌実部の天面に設け、一方の分割片と他方の分割片とを接合した際に、一方の分割片の雄実部と他方の分割片の雌実部とが接着剤で接着されると共に、余剰の接着剤が前記第１溝及び第２溝で構成される空間内に収容されるものであり、
前記雄実部の上方に凹部が形成され、前記雌実部の上方に凸部が形成されていて、前記雄実部と前記雌実部とが接合された際に、前記凹部と前記凸部とが係合されて両者の間に前記接着剤の屈曲通路となる隙間が形成されることを特徴とする床材。
【発明の詳細な説明】
【技術分野】
【０００１】
本発明は、複数の分割片同士を組み合わせて構成される床材に関するものである。
【背景技術】
【０００２】
昨今の住宅では、木目調の化粧板からなる床材を床に敷設し、あたかも床が木の板で構成されているように見せかける工法が多用されている。すなわち木目調は人に暖かみを感じさせ、床が木目調であると、人は安堵感を得ることができる。そして床材を敷設する際には、設置場所の広さ及び形状に対応するため、床材を予め所定の大きさの分割片に分割しておく。すなわち、一つの分割片が床材の構成単位となっており、複数の分割片を適宜組み合わせることによって、設置場所の広さ及び形状に応じた床材が構成される。このような床材が特許文献１に開示されている。
【先行技術文献】
【特許文献】
【０００３】
【特許文献１】実用新案登録第３０９１１０６号公報
【発明の概要】
【発明が解決しようとする課題】
【０００４】
図２（ａ）に示すように従来の床材５１は、分割片５３の雄実部５３ａと、分割片５２の雌実部５２ａとが結合することにより、図２（ｂ）に示すように一体化される。その際、両分割片５２，５３の間には接着剤５４が塗布される。接着剤５４は、両分割片５２，５３の間で拡がり、図２（ｂ）に示すようにその一部が床材５１の表面（上面）から溢れる。
【０００５】
そこで特許文献１の発明（考案）が創案され、特許文献１には図２（ｃ）及び図２（ｄ）に示すような構成が開示されている。図２（ｃ）に示す形態では、分割片５２の雌実５２ａ部の下片部上面に溝５５が設けられている。また、図２（ｄ）に示す形態では、雌実部５２ａの奥に溝５６が形成されている。そして、溝５５及び溝５６に余分な接着剤を収
容することにより、特許文献１の発明（考案）では、接着剤５４が床材５１の表面から溢れないように工夫されている。
【０００６】
ところが、特許文献１の構成のように雄実部に溝を設けると、接着剤の充溢が軽減されるものの、充溢を解消することはできず、特許文献１の構造では未だ不十分である。すなわち、接着剤の充溢を解消するために、仮に溝幅を拡げると有効な接着面積が減少し、分割片同士の接着強度が弱まる。また、溝の深さを深くすると、この深い溝に接着剤が充填され、全く接着に寄与しない接着剤が増えてしまい、両分割片が密着する部位（接着される部位）の全体に接着剤が行き渡りにくくなってしまう。
【０００７】
そこで本発明は、上記の事情に鑑み、分割片同士が結合して構成される床材において、分割片同士が十分な接着強度で接着されると共に、分割片同士の間から接着剤が充溢することを防止できる床材を提供することを課題とする。
【課題を解決するための手段】
【０００８】
上記課題を解決するための請求項１の発明は、一方の分割片の雄実部と他方の分割片の雌実部とを結合して構成する床材であって、前記雄実部の上面に第１溝を設け、前記第１溝は雄実部の突出方向と直交又は略直交しており、一方の分割片の雄実部と他方の分割片の雌実部とを接合した際に、前記第１溝に沿って対向する第２溝を前記雌実部の天面に設け、一方の分割片と他方の分割片とを接合した際に、一方の分割片の雄実部と他方の分割片の雌実部とが接着剤で接着されると共に、余剰の接着剤が前記第１溝及び第２溝で構成される空間内に収容されるものであり、前記雄実部の上方に凹部が形成され、前記雌実部の上方に凸部が形成されていて、前記雄実部と前記雌実部とが接合された際に、前記凹部と前記凸部とが係合されて両者の間に前記接着剤の屈曲通路となる隙間が形成されることを特徴とする床材である。
【０００９】
請求項１の発明では、雄実部の上面に第１溝を設け、雌実部の天面に第２溝を設け、一方の分割片の雄実部と他方の分割片の雌実部とを接合すると、第１溝と第２溝によって両者間に大きな空間が形成される。すなわち、第２溝は第１溝に沿っていて第１溝と対向しているので、両者の接合部位のその他の部分（前記空間以外の部分）の大半を密着させることができる。そのため、有効な接着面積を広く確保でき、十分な接着強度を得ることができる。
【００１０】
また、第２溝は、雄実部の上面よりも上方にあるので、仮に第２構内に接着剤が充填されても、第２溝内の接着剤は、重力の作用で雄実部の上面と雌実部の天面とで形成される隙間に侵入する余地がある。よって、前記空間（第２溝）内の接着剤が隙間に供給されて有効に利用可能である。
【００１１】
さらに、第１溝と第２溝とが対向して形成される空間に、余剰の接着剤を収容することが可能であるので、分割片同士の間から接着剤が溢れる事態を防止することができる。
【発明の効果】
【００１２】
本発明を実施すると、一方の分割片と他方の分割片とを接合した際に、第１溝と第２溝に余剰の接着剤を収容することができ、その結果、分割片同士の間から接着剤が溢れる事態を防止することができる。しかも、その際、接着剤は、凹部と凸部の間に形成される隙間に沿って屈曲する経路に沿って上昇せざるを得ず、流動抵抗が大きいため、接着剤が溢れる事態は確実に防止される。また、第１溝と第２溝とが対向するので、一方の分割片と他方の分割片の有効な接着面積が良好に確保でき、両分割片を良好に接着することができる。
【図面の簡単な説明】
【００１３】
【図１】（ａ）は、本発明を実施した床材の分割片同士を結合する前の状態を示す断面図であり、（ｂ）は、一方の分割片を基台に固定した状態を示す断面図であり、（ｃ）は、基台に固定した分割片の雄実部に別の分割片の雌実部を接合し、両分割片を結合した状態を示す断面図である。
【図２】（ａ）は、従来の床材の分割片同士を結合する前の状態を示す断面図であり、（ｂ）は、（ａ）の分割片同士を結合した状態を示す断面図であり、（ｃ）は、特許文献１に開示されている床材の分割片同士が結合する前の状態を示す断面図であり、（ｄ）は、（ｃ）とは別の特許文献１に開示されている床材の分割片同士が結合する前の状態を示す断面図である。
【発明を実施するための形態】
【００１４】
以下、図面を参照しながら説明する。
【００１５】
図１（ａ）に示すように、床材１は分割片２（一方の分割片）と分割片３（他方の分割片）とを組み合わせて構成される。図１（ａ）は、分割片２と分割片３とが近接している状態を示している。分割片２及び分割片３は、平面視すると長方形形状又は正方形形状を呈しており、そのうちの少なくとも１つの側面に雄実部４が設けられており、雄実部４を設けた側面の反対側の側面には雌実部５が設けられている。
【００１６】
図１（ａ）に示すように分割片２の右側面には、右方に突出する雄実部４が設けられている。雄実部４の上方には凹部１４が形成されており、さらに凹部１４の上方には当接面２ａが設けられている。当接面２ａは、傾斜面２ｂを介して表面２ｃと連続している。表面２ｃは、床材１の露出面である。
【００１７】
雄実部４の上面４ａには溝６（第１溝）とガイド溝８とが形成されている。溝６及びガイド溝８は、雄実部４の突出方向と直交する方向（紙面の手前側から奥側へ延びる方向）に形成されている。
【００１８】
溝６は、余分な接着剤１１（後述）を収容する空間１２（後述）を形成する機能を提供する。また、ガイド溝８は、分割片２を基台１０上に固定するための釘９を打ち込む部位である。
【００１９】
一方、分割片２の図示しない左方の側面には、図１（ａ）に示す分割片３と同じ雌実部５が形成されている。分割片３の描写を参照すると、雌実部５は、突出する雄実部４と嵌合する溝状の部位である。雌実部５の天面５ａには溝７（第２溝）が形成されている。溝７は、分割片２と分割片３とが接合されると、分割片２側の溝６（第１溝）と対向するように天面５ａに形成されている。
【００２０】
図１（ａ）に示すように雌実部５の天面５ａは、凸部１５の下面でもある。すなわち雌実部５の上方には、若干左方に突出した凸部１５が形成されている。分割片２と分割片３とが接合されると、凸部１５は分割片２の凹部１４と係合し、凹部１４と凸部１５によって接着剤１１の屈曲通路（隙間１６）が形成される。
【００２１】
さらに凸部１５の上方には当接面３ａが設けられている。当接面３ａは、分割片２の当接面２ａと対向する位置に設けられている。そして当接面３ａは、傾斜面３ｂを介して表面３ｃと連続している。表面３ｃは表面２ｃと同様に床材１の露出面である。
【００２２】
分割片２と分割片３とは形状及び大きさが同じであり、多数の分割片が大量生産によって製造される。すなわち、同一の型枠によって分割片２及び分割片３が射出成形等によって製造される。
【００２３】
次に、分割片同士の接合の仕方を説明する。
【００２４】
第１の工程として、図１（ｂ）に示すように分割片２の右端部を基台１０上に固定する。すなわち、ガイド溝８に沿った複数箇所に釘９を打ち込み、分割片２の右端部を基台１０に固定する。釘９の頭部はガイド溝８内に収容され、釘９は分割片２を斜めに貫通し、基台１０に突き刺さる。これにより、分割片２の右端側は基台１０に強固に固定される。ガイド溝８を設けることによって、複数の釘９を一直線上に打ち込むことができる。また、釘９の頭部がガイド溝８内に収容されるので、後工程において分割片３の雌実部５の天面５ａが釘９と接触することがない。
【００２５】
次に第２の工程として、溝６に沿って適量の接着剤１１を塗布する。接着剤１１としては、周知のオレフィン系，ウレタン系，又はシリコン系のものを使用することができる。
【００２６】
さらに第３の工程として、図１（ｃ）に示すように基台１０に固定された分割片２の右端に分割片３の左端を係合させる。すなわち、分割片２の当接面２ａと分割片３の当接面３ａとを当接させると共に、分割片２の雄実部４と分割片３の雌実部５を嵌合させる。その結果両者は接合され、分割片２の傾斜面２ｂと分割片３の傾斜面３ｂとで露出溝１３が形成される。
【００２７】
露出溝１３の下方では、分割片２の凹部１４と分割片３の凸部１５とが係合し、両者間に隙間１６が形成される。よって、雄実部４の上面４ａと雌実部５の天面５ａとで形成される隙間から、露出溝１３に至る間には二箇所で屈曲して連続する隙間１６が存在する。さらに分割片２の溝６と、溝６と対向する分割片３の溝７によって、分割片２と分割片３の間に空間１２が形成される。
【００２８】
また、両分割片２，３が接合された際、分割片２側に塗布された接着剤１１が、分割片３の雌実部５の天面５ａで押し拡げられ、分割片２と分割片３とが接近するにつれて接着剤１１は両者間に拡がる。図１（ｃ）において、接着剤１１が拡がった部位を、両分割片２，３の境界部分の太線で示した。すなわち、符号１１ａで示す部位が、接着剤１１が拡がった領域の上端であり、符号１ｌｂで示す部位が、接着剤１１が拡がった領域の下端である。図1（ｃ）に示す例では、接着剤１１は、当接面２ａと当接面３ａの間で上昇を停止しており、露出溝１３まで達していない。
【００２９】
接着剤１１は、分割片２と分割片３の間の広範囲に行き渡り、さらに露出溝１３までは達していない。すなわち、雄実部４の上面４ａ上の接着剤１１は、直ちに露出溝１３に到達できず、凹部１４と凸部１５の間に形成される隙間に沿って屈曲する経路に沿って上昇せざるを得ず、流動抵抗が大きい。そのため、接着剤１１は露出溝１３には到達しにくい。また、接着剤１１は空間１２内に収容されて過度な圧力が掛からず、接着剤１１（端部１１ａ）は表面張力だけでは露出溝１３まで到達することができない。その結果、露出溝１３に接着剤１１が充溢するのが防止される。
【００３０】
空間１２は、溝７によって雄実部４の上面４ａよりも上側にも形成されるため、多量の接着剤１１を収容することができる。また、溝６と溝７とが対向していないと、雄実部４の上面４ａと雌実部５の天面５ａの接着強度が弱まるが、両溝６，７は対向しているので、接着強度を弱める部位を最小限の範囲に留めることができる。
【００３１】
また、釘９が打ち込まれるガイド溝８にも接着剤１１が充填され、固化した接着剤１１が釘９の抜け防止に寄与する。
【符号の説明】
【００３２】
１    床材
２    分割片（一方の分割片）
３    分割片（他方の分割片）
４    雄実部
４ａ  雄実部の上面
５    雌実部
５ａ  雌実部の天面
６    溝（第１溝）
７    溝（第２溝）
１１  接着剤
【図１】
0005601170.tif 000002
【図２】
0005601170.tif 000003